(57)【特許請求の範囲】
【請求項１】
デスクやテーブルなどの家具の天板に形成された開口に、該天板の天面と略面一に取り付けられる配線ダクトカバーであって、
左右に長い略矩形状の開口部を有する枠体と、この枠体の開口部の長辺の両側壁と離間し、配線取出し用の２つの隙間を形成して該開口部に嵌合装着される蓋体とを具え、
前記枠体の前記開口部の左右の両内側面には、前記蓋体の両端を支承する左右一対の支承部が突設され、
前記蓋体の裏面には、その長辺の両縁に沿って断面略Ｌ字状の係合部が前後２条、下方に向けて突設され、
前記各支承部には、前記蓋体が嵌合装着された閉蓋時に係合部を収容する略方形の前後一対の係止凹所が前記係合部と対応する位置に設けられ、前記蓋体がいずれかの側から持ち上げられる開蓋時に前記係合部と係合して前記蓋体を開蓋状態のまま保持する前後一対の外側壁が前記係止凹所と前後方向に隣接する外側に設けられていることを特徴とする配線ダクトカバー。
【請求項２】
外側壁は、最上部に水平面を有し、係止凹所と反対側の側面が垂直面となっており、
係合部は、基端側に位置する基端部と、該基端部の先端から垂直に折り返す折り返し部とからなり、開蓋時には、この係合部の基端部が前記水平面に当接し、蓋体裏面前方部又は後方部が前記垂直面に当接することにより、蓋体を開蓋状態のまま保持することを特徴とする請求項１に記載の配線ダクトカバー。
【請求項３】
係合部は、折り返し部と蓋体裏面との間隔が外側壁の前後方向の厚みより大きいことを特徴とする請求項２に記載の配線ダクトカバー。
【発明の詳細な説明】
【技術分野】
【０００１】
この発明は、ＯＡ化、ＩＴ化されたオフィスにおいて、デスクやテーブル、ワゴン、収容棚などの家具に見栄え良く配線するのに好適な配線ダクトカバーに関するものである。
【背景技術】
【０００２】
従来から、このような配線ダクトカバーとして様々なものが提案されている。
例えば、特許文献１には、支持体３４に設けたピン３４１と、ダクトカバー３３に設けられ、このピン３４１を着脱可能に枢支する弾性爪３３１ｂを有する軸受たるキャッチ３３１とからなる回動機構Ｒを具備した配線ダクト３が記載されている（特許文献１の図５，６参照）。この特許文献１に記載の配線ダクトカバーに代表されるように、従来の配線ダクトカバーは、左右を長辺方向とする枠体と蓋体とからなり、枠体の左右の端部から内側に立設されているか、又は蓋体に立設されている前後２列の支軸（ピン）と、それと対応する弾性爪などの付勢手段が設けられた軸受（キャッチ）とからなる前後一対の係合手段を備えて、これら何れか一方の係合手段を付勢手段に抗して脱着して、他方の係合手段の支軸と軸受からなる軸承部を摺動回転させて開閉するものであった。つまり、軸承部や付勢手段などの摺動動作を伴うメカ的機構により開閉を実現していた。
【０００３】
このように従来の配線ダクトカバーは、家具の天板に開口する配線用の隙間に指を差し込んで付勢手段の付勢力に抗して係合手段を解除しなければ開閉するこができず、開閉に力や手間がかかり、一動作（ワンモーション）で開閉できるものではなかった。また、軸承部を摺動回転させたり、弾性爪を押し込んだりする摺動動作を伴うため、ダクトカバーの係合手段が磨耗したり、破損したりして損傷することを避けられなかった。そのため、耐久性に問題があった。
【特許文献１】特開２００６−２３９０１３号公報
【発明の開示】
【発明が解決しようとする課題】
【０００４】
そこでこの発明は、前記従来の問題点を解決し、安価で簡単な構成により一動作で容易に開閉ができ、且つ磨耗や破損に繋がる摺動動作を伴うようなメカ的機構を必要とせず、耐久性の優れた配線ダクトカバーを提供することを目的とする。
【課題を解決するための手段】
【０００５】
前記課題を解決するために、請求項１に記載の発明は、デスクやテーブルなどの家具の天板に形成された開口に、該天板の天面と略面一に取り付けられる配線ダクトカバーであって、左右に長い略矩形状の開口部を有する枠体と、この枠体の開口部の長辺の両側壁と離間し、配線取出し用の２つの隙間を形成して該開口部に嵌合装着される蓋体とを具え、前記枠体の前記開口部の左右の両内側面には、前記蓋体の両端を支承する左右一対の支承部が突設され、前記蓋体の裏面には、その長辺の両縁に沿って断面略Ｌ字状の係合部が前後２条、下方に向けて突設され、前記各支承部には、前記蓋体が嵌合装着された閉蓋時に係合部を収容する略方形の前後一対の係止凹所が前記係合部と対応する位置に設けられ、前記蓋体がいずれかの側から持ち上げられる開蓋時に前記係合部と係合して前記蓋体を開蓋状態のまま保持する前後一対の外側壁が前記係止凹所と前後方向に隣接する外側に設けられていることを特徴とする。
【０００６】
請求項２に記載の発明は、請求項１に記載の発明において、外側壁は、最上部に水平面を有し、係止凹所と反対側の側面が垂直面となっており、係合部は、基端側に位置する基端部と、該基端部の先端から垂直に折り返す折り返し部とからなり、開蓋時には、この係合部の基端部が前記水平面に当接し、蓋体裏面前方部又は後方部が前記垂直面に当接することにより、蓋体を開蓋状態のまま保持することを特徴とする。
【０００７】
請求項３に記載の発明は、請求項２に記載の発明において、係合部は、折り返し部と蓋体裏面との間隔が外側壁の前後方向の厚みより大きいことを特徴とする。
【発明の効果】
【０００８】
この発明は前記のようであって、請求項１に記載の発明によれば、左右に長い略矩形状の開口部を有する枠体と、この枠体の開口部の長辺の両側壁と離間し、配線取出し用の２つの隙間を形成して該開口部に嵌合装着される蓋体とを具え、前記枠体の前記開口部の左右の両内側面には、前記蓋体の両端を支承する左右一対の支承部が突設され、前記蓋体の裏面には、その長辺の両縁に沿って断面略Ｌ字状の係合部が前後２条、下方に向けて突設され、前記各支承部には、前記蓋体が嵌合装着された閉蓋時に係合部を収容する略方形の前後一対の係止凹所が前記係合部と対応する位置に設けられ、前記蓋体がいずれかの側から持ち上げられる開蓋時に前記係合部と係合して前記蓋体を開蓋状態のまま保持する前後一対の外側壁が前記係止凹所と前後方向に隣接する外側に設けられているので、従来のように、開蓋時、閉蓋時のいずれの際も付勢手段の付勢力に抗して係合手段の解除、結合等を行う必要がなく、蓋体を持ち上げて回転するだけの一動作で開閉が可能である。また、蓋体を回転させる際においてもほとんど部材同士が擦り合わさることなく、蓋体を回転させて開閉ができので、磨耗したり、破損したりするおそれが少なく配線ダクトカバーの耐久性を向上させることができる。
【０００９】
請求項２に記載の発明によれば、外側壁は、最上部に水平面を有し、係止凹所と反対側の側面が垂直面となっており、係合部は、基端側に位置する基端部と、該基端部の先端から垂直に折り返す折り返し部とからなり、開蓋時には、この係合部の基端部が前記水平面に当接し、蓋体裏面前方部又は後方部が前記垂直面に当接することにより、蓋体を開蓋状態のまま保持するので、前記効果に加え、蓋体を開蓋状態のまま確実に保持することができる。
【００１０】
請求項３に記載の発明によれば、係合部は、折り返し部と蓋体裏面との間隔が外側壁の前後方向の厚みより大きいので、蓋体を開蓋状態のまま保持する際にも部材間隔に遊びがあり、折り返し部と蓋体裏面との間を外側壁へ嵌め込むといった、力が掛かった状態で部材同士を擦り合わせるような磨耗や破損の原因となる動作が必要なく、更に耐久性を向上させることができる。
【発明を実施するための最良の形態】
【００１１】
この発明の一実施の形態を、図面を参照して説明する。
【００１２】
本発明の実施の形態に係る配線ダクトカバーを家具の一例として挙げるテーブルの天板に取り付けた場合で本実施の形態の使用状態を説明する。図１は、本実施の形態に係る配線ダクトカバーを取り付けたテーブルを示す斜視図、図２は、同平面図、図３は、同正面図である。図１〜３に示すように、テーブルＴは、平面視で略矩形状の平板（図２参照）からなる天板Ｔ１を主体とし、この天板Ｔ１の四隅の下端に脚Ｔ２が計４本取り付けられたオフィス等で用いられる一般的な４人掛けのテーブルである。そして、このテーブルＴの天板Ｔ１の略中央に設けられた配線取り出し用の開口に本実施の形態に係る配線ダクトカバー１が取り付けられており、配線ダクトカバー１の長辺方向とテーブルＴの長辺方向とが一致するように、且つテーブルＴの縁と配線ダクトカバー１の外縁とが平行となるよう取り付けられている。以下、説明上テーブルの使用者が着席した状態で手前側を前方、反対側を後方とし、左右方向もテーブルＴに着席した状態での左右方向を指すものとする。
【００１３】
この配線ダクトカバー１の下方は、配線ダクトＤ（図３参照）となっており、テーブルＴ上に載置されるパソコンやプリンターなどのＯＡ機器のＬＡＮケーブルや電源ケーブルなどの配線類を収容するスペースとなっている。また、テーブルＴ上に載置されるＯＡ機器などの配線は、配線ダクトカバー１の隙間からこの配線ダクトＤに連通するものであり、ＯＡ機器の設置や増設、移設の際には、配線類を配線したり、引き抜いたりする必要がある。このため、配線ダクトカバー１は容易に開閉が可能で、場合によっては、フルオープン、つまり、脱着可能となっていることが要望されている。最近では、複数人がテーブルをシェアーし、各人が自分のノートパソコンなどを移動してきて使用するため、容易にＬＡＮ等に接続できることなども望まれている。そのため、配線ダクトカバーは、以前にも増して頻繁に開閉されるようになってきており、その分耐久性も要求されるようになってきた。
【００１４】
次に、本実施の形態に係る配線ダクトカバーの構成を図４〜１０を参照しつつ説明する。図４は、本実施の形態に係る配線ダクトカバーを閉蓋状態（蓋体を閉じた状態）で示す平面図、図５は、図４の配線ダクトカバーの枠体のみを示す平面図、図６は、図５の枠体の正面図、図７は、同右側面図、図８は、図４の配線ダクトカバーの蓋体のみを示す右側面図、図９は、図５の枠体のＡ−Ａ線断面図、図１０は、図４の配線ダクトカバーのＡ−Ａ線断面図である。図４に示すように、配線ダクトカバー１は、後述の左右に長い略矩形状の開口部２１を有する枠体２と、この枠体２の開口部の長辺の両側壁と離間し、枠体２と配線取出し用の２つの隙間を形成して該開口部内に嵌まり込み、開閉自在な蓋体３とから構成されている。
【００１５】
この枠体２は、図５〜８に示すように、主に枠状のプレートである枠体本体２０からなり、この枠体本体２０は、その中央に左右に長い略矩形状の開口部２１を有している。そして、この開口部２１の周りには、垂直面から構成される開口部側壁２２が形成され、この開口部側壁２２内側の左右の両側面には、蓋体３の左右の両端を下方から支承する左右一対の支承部２３，２３’が設けられている。
【００１６】
また、図６〜図８に示すように、開口部側壁２２の四隅付近には、天板Ｔ１（図１〜３参照）の開口端面に設けられた係止凹部（図示せず）と係合する係止爪２２ａが設けられ、開口部側壁２２の長辺の中央には、その外側面から前後方向外側に向けて天板Ｔ１の裏面に設けられた係止凹部（図示せず）と係合する２つの係止爪２２ｂが突設され、それぞれの係止爪が天板Ｔ１と係合することにより配線ダクトカバー１がテーブルＴに係止されるようになっている（図１〜３参照）。
【００１７】
蓋体３は、図４及び図８に示すように、平面視で左右に長い略矩形の平板からなる蓋体本体３０を基体とし、この蓋体本体３０の長辺の両縁に沿って縁端から所定距離（本実施の形態では２２ｍｍ程度）離間した位置に蓋体本体３０の裏面から下方に突出する断面略Ｌ字状の前後２条の係合部３１，３１’が設けられている。この係合部３１，３１’は、断面Ｌ字の基端側に位置する閉蓋時において垂直な略矩形の基端部３１ａ，３１ａ’と、この基端部３１ａ，３１ａ’の先端から垂直に折り返す閉蓋時において水平な略矩形の折り返し部３１ｂ，３１ｂ’とからなり、基端部３１ａ，３１ａ’の高さＸは、本実施の形態では１０ｍｍ程度、折り返し部３１ｂ，３１ｂ’の折り返し距離Ｙは、１０ｍｍ程度となっている。よって、蓋体本体３０と折り返し部３１ｂ，３１ｂ’との間隔Ｚは、７ｍｍ程度となっている。
また、係合部３１，３１’の出隅は、全て丸く面取り成形（角が丸く曲面状に成形）されており、蓋体３を回動させる際に角が引っ掛かったりすることがなくスムーズに動かすことができる。そのため、他の部材等を磨耗したりするおそれが少ない。
【００１８】
枠体２の支承部２３は、図９に示すように、概ねその外観形状が直方体の上面側に２つの溝が形成された形状であり、中央部２３ａと、その前後方向外側に位置する前後一対の係止溝２３ｂ，２３ｃと、その更に前後方向外側に位置する前後一対の外側壁２３ｄ，２３ｅとから構成され、蓋体３を下方から支承する機能を有している。この中央部２３ａは、その上面が支承部２３において一番高い水平面となっており、そこから外側に向けて係止溝２３ｂ，２３ｃが一定の深さ（本実施の形態では９ｍｍ程度）と幅（本実施の形態では、この幅ｂ１は１０ｍｍ程度）だけ窪んで、その外側にある外側壁２３ｄ，２３ｅがまた少し高く（本実施の形態では７ｍｍ程度）、且つ中央部２３ａの上面より低くなっている。このため、係止溝２３ｂ，２３ｃは、略方形の係止凹所となっている。また、この係止溝２３ｂ，２３ｃの底面２３０及び外側壁２３ｄ，２３ｅの頂面２３１は、水平面となっており、支承部２３の外側壁２３ｄ，２３ｅの両外側面２３２は、垂直面となっている。そして、この外側壁２３ｄ，２３ｅの頂面２３１と外側面２３２とが交わる隅角部には、面取りされた傾斜面２３３が形成されている。外側壁２３ｄ，２３ｅの前後方向の厚みｂ２は、本実施の形態では、５．５ｍｍ程度となっている。
【００１９】
そして、この係止溝２３ｂ，２３ｃは、図１０に示すように、蓋体３の係合部３１，３１’と対応する位置に設けられており、閉蓋時には、折り返し部３１ｂ，３１ｂ’を底面２３０（図９参照）上に載置して係合部３１，３１’を収容できるようになっている。また、係止溝２３ｂ，２３ｃの底面２３０の高さは、折り返し部３１ｂ，３１ｂ’を載置した際に蓋体本体３０の上面が枠体本体２０の上面と面一（即ち、天板Ｔ１（図３参照）と略面一）になるように設定されている。そして、この係止溝２３ｂ，２３ｃの前後方向の幅ｂ１は、前記のように折り返し部３１ｂ，３１ｂ’の幅である折り返し距離Ｙ（図８参照）より少し広い略同等の幅となっている。このため、閉蓋状態で蓋体３の係合部３１，３１’が支承部２３の係止溝２３ｂ，２３ｃにピッタリはまり込むので、閉蓋時に蓋体３が前後に移動することがなく、配線取出し用の隙間の間隔が左右でズレたりせず、均等で見栄えの良い状態を維持することができる。
なお、枠体２の支承部２３（図５で左側）で説明したが、反対側の支承部２３’（図５の右側）も同様な構成であり、支承部２３と支承部２３’とは左右対称となっている。
【００２０】
次に、本実施の形態に係る配線ダクトカバーの開閉動作について図１０〜１４を参照しつつ説明する。図１０は、前述のように、図４の配線ダクトカバーのＡ−Ａ線断面図で、図１１は、図４の配線ダクトカバーを閉蓋状態で示す斜視図、図１２は、図１０の断面図の蓋体を少し開いた状態で示す断面図、図１３は、図１０の断面図の蓋体を完全に開いた状態で示す断面図、図１４は、図４の配線ダクトカバーを開蓋状態で示す斜視図である。
配線ダクトカバー１は、前記のように構成され、開口部２１の前後の幅より蓋体本体２０の前後の幅の方が狭く設定されているので、閉蓋状態では、図１０、１１に示すように、配線ダクトカバーの開口部２１の長さ方向である左右に沿って配線取出し用の隙間が形成されている。そして、この配線取出し用の隙間に指を差し入れて蓋体３の前方又は後方の端のいずれか一方を持ち上げると、図１２（図示は、蓋体３の前端を持ち上げた場合を示す）に示すように、蓋体３の係合部３１’の折り返し部３１ｂ’の先端を支点として蓋体３が回転し始める。このとき、支承部２３の外側壁２３ｅの高さは、係合部３１’の折り返し距離Ｙより基端部３１ａ’の厚み（本実施の形態では３ｍｍ程度）分丁度低く設定されており、且つ、外側の角が面取りされて傾斜面２３３が形成されているので、蓋体３が回転するときに、磨耗につながる摺動動作を必要としない。
【００２１】
蓋体３を更に回転させると、図１３及び図１４に示すように、係合部３１’の基端部３１ａ’が外側壁２３ｅの頂面２３１（図９参照）に当接し、蓋体本体３０が外側壁２３ｅの係合溝２３ｃと反対側となる外側面２３２に当接する。よって、係合部３１’と支承部２３の係止溝２３ｃ及び外側壁２３ｅとが係合し、蓋体３が枠体２の支承部２３に開蓋状態で保持される。このとき、蓋体本体３０と折り返し部３１ｂ，３１ｂ’との間隔Ｚ（図８参照）は、前記のように、外側壁２３ｅの前後方向の厚みｂ２より広く設定されているので、蓋体３と支承部２３の外側壁２３ｅの部材間隔に遊びがあり、力が掛かった状態で部材同士を擦り合わせるような磨耗や破損の原因となる動作が必要なく、確実に蓋体３を開蓋状態で保持することができる。
【００２２】
蓋体３を閉じる場合は、開く場合と逆の動作となり、蓋体３の前端を掴んで手前（前方）へ引くと、開く場合と同様に折り返し部３１ｂ’の先端を支点として図１３で示す状態から図１０で示す状態に、図中反時計回りに蓋体３が回転して、前方の係合部３１が係合溝２３ｂに収容されて、折り返し部３１ｂが係合溝２３ｂの底面２３０に当接することで閉蓋状態となる。
【００２３】
以上説明したように、本実施の形態に係る配線ダクトカバーをテーブルの天板に取り付けた場合で説明したが、デスクなどの他の家具の天板に取り付けても構わない。
また、前記実施の形態において、図面等で示した部材の形状や構造等は、あくまでも好ましい一例を示すものであり、その実施に際しては特許請求の範囲に記載した範囲内で、任意に設計変更・修正ができるものである。
【図面の簡単な説明】
【００２４】
【図１】この発明の実施の形態に係る配線ダクトカバーを取り付けたテーブルを示す斜視図である。
【図２】同上の平面図である。
【図３】同上の正面図である。
【図４】この発明の実施の形態に係る配線ダクトカバーを閉蓋状態で示す平面図である。
【図５】図４の配線ダクトカバーの枠体のみを示す平面図である。
【図６】図５の枠体の正面図である。
【図７】同上の右側面図である。
【図８】図４の配線ダクトカバーの蓋体のみを示す右側面図である。
【図９】図５の枠体のＡ−Ａ線断面図である。
【図１０】図４の配線ダクトカバーのＡ−Ａ線断面図である。
【図１１】図４の配線ダクトカバーを閉蓋状態で示す斜視図である。
【図１２】図１０の断面図の蓋体を少し開いた状態で示す断面図である。
【図１３】図１０の断面図の蓋体を完全に開いた状態で示す断面図である。
【図１４】図４の配線ダクトカバーを開蓋状態で示す斜視図である。
【符号の説明】
【００２５】
１                配線ダクトカバー
２                枠体
２０              枠体本体
２１              開口部
２２              開口部側壁
２３，２３’      支承部
２３ｂ，２３ｃ    係止溝（係止凹所）
２３０            底面（水平面）
２３ｄ，２３ｅ    外側壁
２３１            頂面（水平面）
２３２            外側面（垂直面）
２３３            傾斜面
３                蓋体
３０              蓋体本体
３１，３１’      係合部
３１ａ，３１ａ’  基端部
３１ｂ，３１ｂ’  折り返し部
【図１】
0005014950.tif 000002
【図２】
0005014950.tif 000003
【図３】
0005014950.tif 000004
【図４】
0005014950.tif 000005
【図５】
0005014950.tif 000006
【図６】
0005014950.tif 000007
【図７】
0005014950.tif 000008
【図８】
0005014950.tif 000009
【図９】
0005014950.tif 000010
【図１０】
0005014950.tif 000011
【図１１】
0005014950.tif 000012
【図１２】
0005014950.tif 000013
【図１３】
0005014950.tif 000014
【図１４】
0005014950.tif 000015